(57)【要約】【課題】複数の導光板を組み合わせて使用しても、隣り合う導光板間に暗線を発生させずに、照明品質の向上を図る。【解決手段】ＬＥＤ・導光板ユニットを複数組み合わせて面光源装置を構成する。導光板４は、平面形状が正方形の発光領域８と、この発光領域８の外縁となる四辺８ａ〜８ｄのうちの隣り合う一対の辺８ａ，８ｂの外側に張り出すように位置する張出領域１０と、ＬＥＤ６からの光を入射させる入射面領域１１と、を有している。各導光板４は、発光領域８の対角線の一つに対して左右対称の形状で、同一方向に向きを揃えて組み合わされる。この際、一つ導光板４の発光領域８の張出領域が形成されていない辺８ｃ，８ｄを、隣り合う他の導光板４，４の張出領域１０が形成された辺８ａ，８ｂに合わせ、且つ、他の導光板４，４の張出領域１０，１０を一つ導光板４の発光領域８の裏面側に潜り込ませる。【選択図】図２
2010123304.tif 000002
【特許請求の範囲】
【請求項１】
点状光源と導光板とを組み合わせて点状光源・導光板ユニットを構成し、この点状光源・導光板ユニットを複数組み合わせて矩形形状の面状発光をさせる面光源装置において、
前記導光板は、（１）平面形状が正方形であって出射面となる表面とその反対側に位置する裏面とを有する発光領域と、この発光領域の外縁となる四辺のうちの隣り合う一対の辺の外側に張り出すように位置する張出領域と、前記点状光源からの光を前記張出領域の端部側面から入射させる入射面領域と、を有し、（２）前記発光領域の対角線の一つ及びこの対角線の延長線に対して前記張出領域及び前記入射面領域が対称の形状になっており、
前記複数の点状光源・導光板ユニットのうちの一つの点状光源・導光板ユニットに他の点状光源・導光板ユニットを組み合わせる際には、前記一つの点状光源・導光板ユニットの前記導光板を第１導光板とし、前記他の点状光源・導光板ユニットの前記導光板を第２導光板とすると、前記第１導光板と前記第２導光板の向きを揃えると共に、前記第１導光板の前記発光領域の外縁となる四辺のうちの前記張出領域が形成されていない辺に、前記第２導光板の前記発光領域の外縁となる四辺のうちの前記張出領域が形成された辺を合わせ、且つ、前記第２導光板の前記張出領域を前記第１導光板の前記発光領域の裏面側に潜り込ませることによって前記第１導光板の前記張出領域が形成されていない辺を前記第２導光板上に位置させ、
前記第１導光板の少なくとも前記発光領域の前記裏面側のほぼ全域に反射シートを配置し、前記第１導光板と前記第２導光板とが重なり合う位置では、前記第１導光板の裏面側と前記第２導光板の表面側との間に反射シートを配置した、
ことを特徴とする面光源装置。
【請求項２】
前記点状光源・導光板ユニットをマトリックス状に配置し、
前記マトリックスのいずれの位置においても、隣接する２つの前記点状光源・導光板ユニットの導光板が、前記第１導光板と前記第２導光板との位置関係を満たすように配置されている、
ことを特徴とする請求項１に記載の面光源装置。
【請求項３】
前記請求項１又は２に記載の面光源装置と、この面光源装置から出射した光の進行方向を制御する光制御部材と、を備えたことを特徴とする照明装置。
【請求項４】
前記請求項３に記載の照明装置と、この照明装置の光によって裏面側から照明される被照明部材と、を備えたことを特徴とする画像表示装置。
【発明の詳細な説明】
【技術分野】
【０００１】
本発明は、複数の導光板を組み合わせて一枚のパネル状にして面状発光させる面光源装置、この面光源装置を使用した照明装置、及びこの照明装置を使用した画像表示装置に関するものである。ここで、照明装置は、例えば、液晶表示パネル，広告用パネル，案内板等を裏面側から照明したり、又は、室内等を照明するために使用されるものを含むものであり、上記面光源装置を使用して照明光を出射するものを広く含むものである。また、画像表示装置とは、被照明物（例えば、液晶表示パネル，広告用パネル，案内板等）が裏面から上記照明装置によって照明されるものである。
【背景技術】
【０００２】
従来、液晶テレビ等を構成する画像表示装置は、液晶表示パネルを裏面側から照明するバックライトとしての面光源装置を使用している。そして、この面光源装置として、画像表示装置の表示画面のコントラストを向上させると共に、消費電力を削減するために、表示画面の画像表示の状態に応じて部分的に消灯できるようにし、且つ、薄型化を実現したものが既に提案されている（特許文献１参照）。
【０００３】
図１１は、このような面光源装置１００を示すものである。この図１１に示す面光源装置１００は、ＬＥＤ（点状光源）１０１の光が側端面１０２から入射するようになっている導光板１０３をマトリックス状に複数組み合わせて構成されており、各導光板１０３毎に設置されたＬＥＤ１０１をオン・オフさせることにより、各導光板１０３毎に点灯・消灯を瞬時に行い、各導光板１０３毎に照明光をオン・オフさせることができるようになっている。
【特許文献１】特開２００８−１０８６２２号公報
【発明の開示】
【発明が解決しようとする課題】
【０００４】
図１１に示す面光源装置１００は、導光板１０３の入射面としての側端面（ＬＥＤ１０１からの光が入射する面）１０２に対して反対側に位置する側端面（先端面）１０４に、隣り合う他の導光板１０３に設置されたＬＥＤ１０１の発光面側を覆う突出片１０５を形成し、この突出片１０５の発光面側に、光拡散手段としての拡散板１０６を固着するか、又は光拡散手段としての微小な凹凸を形成するようになっている。
【０００５】
しかしながら、この図１１に示す面光源装置１００は、縦方向に隣り合う導光板１０３，１０３同士の突き合わせ部分に起因する暗線の発生を防止できるものの、横方向に隣り合う導光板１０３，１０３同士の突き合わせ部分に何等の対策も施されていないため、この横方向に隣り合う導光板１０３，１０３同士の突き合わせ部分１０７に起因する暗線の発生、及びこの暗線の発生に起因する照明品質の低下が問題となっていた。
【０００６】
そこで、本発明は、複数の導光板を組み合わせて使用しても、隣り合う導光板間に暗線が発生せず、照明品質を向上させることができる面光源装置、これを備えた照明装置、及びその照明装置を備えた画像表示装置を提供することを目的とする。また、点状光源の光出射特性を利用して、光利用効率の高い面光源装置、これを備えた照明装置、及びその照明装置を備えた画像表示装置を提供することを目的とする。
【課題を解決するための手段】
【０００７】
請求項１の発明は、点状光源と導光板とを組み合わせて点状光源・導光板ユニットを構成し、この点状光源・導光板ユニットを複数組み合わせて矩形形状の面状発光をさせる面光源装置に関するものである。この発明において、前記導光板は、（１）平面形状が正方形であって出射面となる表面とその反対側に位置する裏面とを有する発光領域と、この発光領域の外縁となる四辺のうちの隣り合う一対の辺の外側に張り出すように位置する張出領域と、前記点状光源からの光を前記張出領域の端部側面から入射させる入射面領域と、を有し、（２）前記発光領域の対角線の一つ及びこの対角線の延長線に対して前記張出領域及び前記入射面領域が対称の形状になっている。また、前記複数の点状光源・導光板ユニットのうちの一つの点状光源・導光板ユニットに他の点状光源・導光板ユニットを組み合わせる際には、前記一つの点状光源・導光板ユニットの前記導光板を第１導光板とし、前記他の点状光源・導光板ユニットの前記導光板を第２導光板とすると、前記第１導光板と前記第２導光板の向きを揃えると共に、前記第１導光板の前記発光領域の外縁となる四辺のうちの前記張出領域が形成されていない辺に、前記第２導光板の前記発光領域の外縁となる四辺のうちの前記張出領域が形成された辺を合わせ、且つ、前記第２導光板の前記張出領域を前記第１導光板の前記発光領域の裏面側に潜り込ませることによって前記第１導光板の前記張出領域が形成されていない辺を前記第２導光板上に位置させる。また、前記第１導光板の少なくとも前記発光領域の前記裏面側のほぼ全域に反射シートを配置し、前記第１導光板と前記第２導光板とが重なり合う位置では、前記第１導光板の裏面側と前記第２導光板の表面側との間に反射シートを配置してある。
【０００８】
請求項２の発明は、請求項１の発明に係る面光源装置において、前記点状光源・導光板ユニットをマトリックス状に配置し、前記マトリックスのいずれの位置においても、隣接する２つの前記点状光源・導光板ユニットの導光板が、前記第１導光板と前記第２導光板との位置関係を満たすように配置されている、ことを特徴としている。
【０００９】
請求項３の発明は、前記請求項１又は２の発明に係る面光源装置と、この面光源装置から出射した光の進行方向を制御する光制御部材と、を備えた照明装置である。
【００１０】
請求項４の発明は、前記請求項３の発明に係る照明装置と、この照明装置の光によって裏面側から照明される被照明部材と、を備えた画像表示装置である。
【発明の効果】
【００１１】
本発明によれば、複数の導光板を組み合わせて使用しても、隣り合う導光板間に暗線が発生せず、照明品質を向上させることができる。
【発明を実施するための最良の形態】
【００１２】
以下、本発明の実施の形態を図面に基づき詳述する。
【００１３】
（第１実施形態）
図１は、本発明の実施の形態に係る面光源装置１の平面図を示すものである。この図１に示すように、本実施形態に係る面光源装置１は、Ｙ方向の一列にＬＥＤ（点状光源）・導光板ユニット２が４個並べて配置され、この４個のＬＥＤ・導光板ユニット２がＸ方向に５列並べて配置されており、合計２０個のＬＥＤ・導光板ユニット２がマトリックス状に基板３上に取り付けられている。また、この図１に示す面光源装置１は、各ＬＥＤ・導光板ユニット２を構成する導光板４の裏面側に、導光板４の裏面側から出射した光を反射して導光板４内に戻す反射シート５が配置されている。そして、この図１の面光源装置１の発光面側に拡散シートやプリズムシート等の光制御部材を配置して照明装置を構成し、更に、照明装置によって照明される液晶表示パネル，広告用プレート，案内プレート等と組み合わせて画像表示装置を構成することができる。
【００１４】
図２は、図１の面光源装置１のうちの隣り合う４個のＬＥＤ・導光板ユニット２を抜き出して示す平面図である。この図２に示すように、ＬＥＤ・導光板ユニット２は、点状光源としてのＬＥＤ（白色ＬＥＤ）６と板状の導光板４との組み合わせからなる発光ユニットであり、ＬＥＤ６からの光を導光板４の端部側面７から入射させ、その導光板４に入射した光を導光板４の表面４ａ側から面状に出射するようになっている。ここで、ＬＥＤ６は、基板３上に配置された導光板４の端部側面７に対向し、光束が導光板４の端部側面７から導光板４の内部に効率的に入射するように、基板３上に導光板４と同数（図２においては４個、図１においては２０個）だけマトリックス状に固定されている。また、４個の導光板４は、端部側面７が全て同一方向に向いて位置するように、向きを揃えて配置されている。
【００１５】
図３乃至図４は、導光板４を示す図である。この図３のうち、図３（ａ）が導光板４の平面図を示すものであり、図３（ｂ）が導光板４の側面図であり、図３（ｃ）が図３（ｂ）の導光板４のうちの端部側面７側（Ｐ１で示す部分）を拡大して示す図であり、図３（ｄ）が図３（ａ）のＡ１−Ａ１線に沿って切断して示す断面図であり、図３（ｅ）が導光板４の正面図である。また、図４は、導光板４の裏面図を示すものである。
【００１６】
図３（ａ）に示すように、導光板４は、平面視が正方形の発光領域８と、この発光領域８の外縁を仕切る四辺８ａ〜８ｄのうちの隣り合う一対の辺８ａ，８ｂの外側に張り出すように位置する張出領域１０と、この張出領域１０の先端部に形成された入射面領域１１と、張出領域１０の先端側からそれぞれ外側に張り出した取付フランジ部１２，１２とを備えている。そして、この導光板４は、正方形の発光領域８の一つの対角線１３とこの対角線１３の延長線からなる中心線ＣＬに対して対称の形状になっており、発光領域８，張出領域１０，入射面領域１１及び取付フランジ部１２が中心線ＣＬに対して対称となるように形成されている。なお、入射面領域１１は、本実施形態においては導光板４のうちの張出領域１０のＬＥＤ６側の端部側面７であるが、導光板４のＬＥＤ６に対向する部分に粗面部やプリズム面等の入射光制御部分を形成した場合、その入射光制御部分及びその他の張出領域１０のＬＥＤ６側の端部側面７を意味するものである。
【００１７】
また、導光板４は、図３（ｂ）〜（ｃ）及び図４に示すように、取付フランジ部１２の裏面１２ｂ側に、基板３の上面３ａに載置される台座面１４が形成されており、取付フランジ部１２の表面１２ａ側に、固定用ねじ１５の頭部１５ａを収容する座繰り溝１６が形成されており、この座繰り溝１６に固定用ねじ１５の軸部１５ｂを挿通するためのねじ穴１７が台座面１４に貫通するように形成されている。なお、座繰り溝１６の溝深さは、固定用ねじ１５の頭部１５ａが取付フランジ部１２の表面１２ａから突出しない寸法になっている。
【００１８】
また、導光板４は、図３乃至図４に示したように、取付フランジ部１２の裏面１２ｂ側には、基板３に形成された一対の位置決め穴１８に係合する位置決め用突起２０が中心線ＣＬに対して対称の位置に一対突出形成されている。また、この導光板４の取付フランジ部１２は、表面１２ａと台座面１４とが平行になるように形成されており、張出領域１０及び発光領域８の表面（取付フランジ部１２を除く導光板４の表面４ａをいい、以下、表面４ａという）に対して所定角度θだけ傾けて形成されている。すなわち、導光板４の張出領域１０及び発光領域８は、図３（ａ）〜（ｃ），（ｅ）に示すように、それら両領域（１０，８）の表面４ａ及び裏面４ｂがそれぞれほぼ同一の平面をなしている。そして、それら両領域（１０，８）の表面４ａは、基板３の上面３ａに対して反時計回り方向（図３（ｃ）における反時計回り方向）へ所定角度θ（本実施形態においては１．９°）だけ基板３の上面３ａを回動させた仮想面上に傾けて形成されている。また、それら両領域（１０，８）の裏面４ｂと基板３の上面３ａとの間には、隙間２１が生じるようになっている。また、導光板４の入射面領域１１の上端縁２２は、取付フランジ部１２のＬＥＤ６側に位置する側面２３の上端縁と同一高さ（基板３の上面３ａからの高さが同一）となるように形成されている。そして、導光板４は、取付フランジ部１２のＬＥＤ６側の側面２３が入射面領域１１の延長上に位置するように形成されている。
【００１９】
また、導光板４は、図３（ｂ），（ｄ）に示すように、入射面領域１１から遠ざかるにしたがって板厚を漸減させるようになっており、入射面領域１１から導光板４内に入射したＬＥＤ６からの光が導光板４の表面４ａ側の発光領域８から出射し易くなるように工夫されている。ここで、導光板４の入射面領域１１側を先端と略称し、導光板４の入射面領域１１に対して反対側に位置する導光板４の端部２４側を後端と略称する。
【００２０】
また、導光板４は、図２及び図３に示すように、発光領域８の後端（２４）側の二辺８ｃ，８ｄのうちの一方が、隣り合う他の導光板４における発光領域８の先端（１１）側の二辺８ａ，８ｂのうちの一方と重なり合い、且つ、隣り合う他の導光板４における張出領域１０が裏面４ｂと基板３との間の隙間２１に潜り込んで重なり合うようになっている。これにより、複数のＬＥＤ・導光板ユニット２を組み合わせて面光源装置１を構成したとしても、面光源装置１を発光面（出射面）側から見た場合に、隣り合う導光板４の発光領域８，８間に隙間が生じない。
【００２１】
ここで、説明の都合上、図２において、左から一列目の導光板４を第１導光板４とし、左から二列目の上側の導光板４を第２導光板４とし、左から二列目の下側の導光板４を第３導光板４とし、左から三列目の導光板４を第４導光板４とすれば、第２導光板４の張出領域１０と第３導光板４の張出領域１０とが第１導光板４の裏面側で重なり合わないようにするため、導光板４の張出領域１０の幅方向寸法（導光板４の中心線ＣＬに対して直交する方向の寸法）が導光板４の発光領域８の対角線の寸法と同一となるように制限されており、導光板４の張出領域１０には導光板４の中心線ＣＬに沿って延びる幅方向端面２５が形成されている（図３（ａ）参照）。また、第４導光板４は、その中心線ＣＬが第１導光板４の中心線ＣＬの延長上に重なるように配置され、発光領域８の先端側の二辺８ａ，８ｂのうちの一方（８ａ）が第２導光板４の後端側の二辺８ｃ，８ｄのうちの一方（８ｃ）に重なり合い、発光領域８の先端側の二辺８ａ，８ｂのうちの他方（８ｂ）が第３導光板４の後端側の二辺８ｃ，８ｄのうちの他方（８ｄ）に重なり合い、張出領域１０が第１乃至第３導光板４の裏面４ｂ側と基板３との間の隙間２１に潜り込むようになっている（図７参照）。
【００２２】
面光源装置１の組立状態を図２及び図３に基づき説明する。まず、第４導光板４の位置決め用突起２０を基板３に形成した第４導光板４用の位置決め穴１８に挿入することにより、第４導光板４の入射面領域１１がＬＥＤ６に対して位置決めされると共に、第４導光板４のねじ穴１７が基板３のねじ穴２６に位置合わせされる（図３ｃ参照）。この状態で、第４導光板４のねじ穴１７に固定用ねじ１５を挿入し、その固定用ねじ１５で第４導光板４を基板３に締め付け固定する。次に、第３導光板４の位置決め用突起２０を基板３に形成した第３導光板４用の位置決め穴１８に挿入することにより、第３導光板４の入射面領域１１がＬＥＤ６に対して位置決めされると共に、第３導光板４のねじ穴１７が基板３のねじ穴２６に位置合わせされ、第３導光板４の発光領域８が第４導光板４の張出領域１０上に重ねられる。この状態で、第３導光板４のねじ穴１７に固定用ねじ１５を挿入し、その固定用ねじ１５で第３導光板４を基板３に締め付け固定する。これと同様に、第２導光板４の位置決め用突起２０を基板３に形成した第２導光板４用の位置決め穴１８に挿入することにより、第２導光板４の入射面領域１１がＬＥＤ６に対して位置決めされると共に、第２導光板４のねじ穴１７が基板３のねじ穴２６に位置合わせされ、第２導光板４の発光領域８が第４導光板４の張出領域１０上に重ねられる。この状態で、第２導光板４のねじ穴１７に固定用ねじ１５を挿入し、その固定用ねじ１５で第２導光板４を基板３に締め付け固定する。次に、第１導光板４の位置決め用突起２０を基板３に形成した第１導光板４用の位置決め穴１８に挿入することにより、第１導光板４の入射面領域１１がＬＥＤ６に対して位置決めされると共に、第１導光板４のねじ穴１７が基板３のねじ穴２６に位置合わせされ、第１導光板４の発光領域８が第２導光板４及び第３導光板４の張出領域１０上に重ねられる。この状態で、第１導光板４のねじ穴１７に固定用ねじ１５を挿入し、その固定用ねじ１５で第１導光板４を基板３に締め付け固定する。これによって、図２に示すように、４個のＬＥＤ・導光板ユニット２が基板３に組み付けられることになる。なお、図１の面光源装置１は、第１導光板４から最も離れた位置にある第５列の下から４行目の導光板（第２０導光板）４から基板３に組み付けることになる。
【００２３】
その後、図５に示すような、直角二等辺三角形の両サイドを均等に切り落としたような平面形状をした反射シート５は、図６に示すように、その三角形の頂点２７を導光板４の後端２４に合わせ、その三角形の頂点２７に合流する二辺２８ａ，２８ｂを導光板４の発光領域８の後端２４側の二辺８ｃ，８ｄに合わせるようにして、導光板４の裏面４ｂ側と他の導光板４との間に挿入される（図７参照）。その結果、図６に示すように、第１乃至第４導光板４の重なり合った部分が反射シート５によって目隠しされた状態となり、第１乃至第４導光板４の重なり合った部分が出射面側から視認されることがない。このようにして、図１に示すような面光源装置１は、ＸＹ合計２０個のＬＥＤ・導光板ユニット２及び反射シート５が組み合わされてなっている。なお、本実施形態においては、取付フランジ部１２の裏面側に形成されたシート突き当て突起３０に、反射シート５の底辺に対応する一辺２８ｃを突き当てて位置決めしているが、これに限定されるものでなく、シート突き当て突起３０を省略し、反射シート５と導光板４との位置を適宜調整できるようにしてもよい。
【００２４】
図８は、１個のＬＥＤ・導光板ユニット２の発光領域８から出射される出射光輝度を表すものであり、発光領域８をＸ・Ｙ２０個ずつの合計４００個に分割し、それら４００個の分割領域の中心位置における出射光輝度を測定して、その測定結果を発光領域８上に対応させて表したものである。この図８において、Ａ１で示した領域は、出射光輝度のうちで最も輝度の高い数値を１００とすると、その最高輝度に対して９０〜１００％の輝度の範囲を表している。同様にして、Ａ２で示した領域が最高輝度に対して８０〜９０％の輝度の範囲、Ａ３で示した領域が最高輝度に対して７０〜８０％の輝度の範囲、Ａ４で示した領域が最高輝度に対して６０〜７０％の輝度の範囲、Ａ５で示した領域が最高輝度に対して５０〜６０％の輝度の範囲、Ａ６で示した領域が４０〜５０％の輝度の範囲、Ａ７で示した領域が最高輝度に対して３０〜４０％の輝度の範囲、Ａ８で示した領域が最高輝度に対して２０〜３０％の輝度の範囲を表している。
【００２５】
図９は、２０個のＬＥＤ・導光板ユニット２を組み合わせてなる発光領域３１（図１参照）から出射される出射光輝度を表すものであり、２０個の発光領域８からなる発光領域３１をＸ・Ｙ２０個ずつの合計４００個に分割し、それら４００個の分割領域の中心位置における出射光輝度を測定して、その測定結果を発光領域３１上に対応させて表したものである。この図９において、Ｂ１で示した領域は、出射光輝度のうちで最も輝度の高い数値を１００とすると、その最高輝度に対して９０〜１００％の輝度の範囲を表している。同様にして、Ｂ２で示した領域が最高輝度に対して８０〜９０％の輝度の範囲、Ｂ３で示した領域が最高輝度に対して７０〜８０％の輝度の範囲、Ｂ４で示した領域が最高輝度に対して６０〜７０％の輝度の範囲、Ｂ５で示した領域が最高輝度に対して５０〜６０％の輝度の範囲、Ｂ６で示した領域が４０〜５０％の輝度の範囲、Ｂ７で示した領域が最高輝度に対して３０〜４０％の輝度の範囲を表している。なお、図９に示す発光領域３１は、図８の単独の導光板の発光領域３１とを対比し易くするため、Ｘ方向の寸法を縮小してある。
【００２６】
これら図８と図９とを対比すると、図９の２０個の発光領域８を組み合わせてなる発光領域３１は、図８に示すような出射光輝度分布が単独で２０個出現するのではなく、２０個の発光領域８があたかも１個の発光領域３１であるかのようになっており、中央部の所定範囲が最も出射光輝度が高く、中央部から周辺に広がるにしたがって出射光輝度が漸減するようになっている。しかも、この図９によれば、各導光板４の発光領域８の境界部分に暗線が生じていない。
【００２７】
以上のように本実施形態に係る面光源装置１によれば、複数のＬＥＤ・導光板ユニット２を組み合わせて使用しても、隣り合う導光板４，４間に暗線が発生せず、照明品質を向上させることができる。したがって、本実施形態に係る面光源装置１を備えた照明装置は、発光面を大型化しても、高品質の照明を行うことが可能になる。また、本実施形態に係る面光源装置１を備えた画像表示装置は、表示画面を大型化しても、高品質な照明によって、高品質の画像表示が可能になる。
【００２８】
また、本実施形態において、基板３上に取り付けられた導光板４の表面４ａと基板３の上面３ａとのなす角θは、導光板４と基板３との間に形成される隙間２１内に、隣り合う他の導光板４の一部を潜り込ませることができ、所定枚数の導光板４を基板３上に組み付けることができる程度の最小の角度が選定される。これにより、面光源装置１の全体の厚さ（基板３の上面３ａに対する法線方向の高さ寸法）を薄くすることができ、その面光源装置１を使用する照明装置及び画像表示装置の薄型化を図ることができる。
【００２９】
また、本実施形態の面光源装置１は、小さくて薄い導光板４を多数集めて大きな発光領域を構成することができるため、単一の大きく且つ厚い導光板を使用する場合に比較し、軽量化を容易に図ることができる。これにより、本実施形態の面光源装置１を使用した照明装置及び画像表示装置の軽量化を図ることも可能になる。
【００３０】
（第２実施形態）
図１０は、面光源装置１に使用される導光板４の第２実施形態を示すものである。この図１０に示すように、導光板４は、図３（ａ）に示した導光板４の取付フランジ部１２から先端側を切り落としたような形状になっている。なお、この図１０に示す導光板４は、図３（ａ）に示した導光板４と同一部分に同一符号を付し、重複する説明を省略する。
【００３１】
この図１０に示す導光板４は、図３（ａ）の導光板４の取付フランジ部１２を切り落とした際に形成される端部側面３２を入射面領域としている。そして、この図１０に示す導光板４は、図示しない基板に張出領域１０において接着剤又は両面テープ等で固定される。なお、張出領域１０のＬＥＤからの光が到達し難い部分にねじ穴を形成して、固定用ねじで基板３と固定してもよい。
【００３２】
（その他の変形例）
なお、導光板４の発光領域８の側面からの光漏れが照明品質を低下させる場合には、導光板４の後端２４側の側面（辺８ｃ，８ｄに対応する側面）及び張出領域１０の幅方向端面２５，２５に黒色塗料を塗って遮光することによって、光漏れに起因する照明品質の低下を防止することができる。
【００３３】
また、本発明の第１実施形態に係る面光源装置１において、導光板４の発光領域８に光拡散パターンを適宜形成し、光の出射光特性を、要求される設計仕様等に応じて変更することができる。
【００３４】
また、本発明の第１実施形態に係る面光源装置１は、ＬＥＤ６として白色ＬＥＤを使用する態様を例示したが、これに限られず、赤（Ｒ），緑（Ｇ），青（Ｂ）の三色のＬＥＤを白色ＬＥＤに代えて使用してもよい。
【００３５】
また、混色させるための領域を必要とする場合には、張出領域１０の入射面領域１１から発光領域８の間を混色領域として利用することができ、その長さを必要に応じて適宜設定することができる。混色領域を必要としない場合には、図１０のように入射面領域１１から発光領域８までの距離を短く設定してもよい。
【００３６】
また、本発明の第１実施形態に係る面光源装置１は、反射シート５の一対の傾斜辺２８ａ，２８ｂの頂点２７を導光板４の後端２４よりも僅かにずらして、導光板４の発光領域８の後端２７側の辺８ｃ，８ｄ側端部から出射する光を抑え、より一層均質な面状照明にすることが可能になる。
【００３７】
また、本発明の第１実施形態に係る面光源装置１は、２０個のＬＥＤ・導光板ユニット２を組み合わせて構成する態様を例示したが、これに限られず、より多くのＬＥＤ・導光板ユニット２を組み合わせて、より大きな発光領域を構成し、より広範囲の照明を可能にし、より大きな画像表示を可能にすることができる。
【００３８】
また、反射シート５は、図５に示したものに限定されるものではなく、複数の導光板４に対応する複数の反射シート５を一体に形成するようにしてもよい。
【００３９】
また、本発明の第１実施形態に係る面光源装置１は、導光板４の張出領域１０及び発光領域８が入射面領域１１側から後端２４側へ向かうにしたがって板厚を漸減するように構成したが、これに限定されるものではなく、導光板４の張出領域１０及び発光領域８を入射面領域１１側から後端２４側へ向かって同一の板厚となるように形成し、発光領域８の裏面側に光出射促進手段（例えば、微小凹凸面、プリズム面等）を形成するようにしてもよい。
【図面の簡単な説明】
【００４０】
【図１】本発明の第１実施形態に係る面光源装置の平面図を示すものである。
【図２】図１の面光源装置のうちの隣り合う４個のＬＥＤ・導光板ユニットを抜き出して示す平面図である。
【図３】図１の面光源装置を構成する導光板を示す図である。この図３において、図３（ａ）が導光板の平面図を示すものであり、図３（ｂ）が導光板の側面図であり、図３（ｃ）が図３（ｂ）の導光板のうちの端部側面側（Ｐ１で示す領域）を拡大して示す図であり、図３（ｄ）が図３（ａ）のＡ１−Ａ１線に沿って切断して示す断面図であり、図３（ｅ）が導光板の正面図である。
【図４】図３の導光板の裏面図を示すものである。
【図５】反射シートの平面図である。
【図６】図２の４個のＬＥＤ・導光板ユニットに、図５の反射シートを組み付けた状態を示す平面図である。
【図７】図７（ａ）が図６のＡ２−Ａ２線に沿って切断して示す断面図であり、図７（ｂ）が図７（ａ）のＰ２で示す領域を拡大して示す断面図である。
【図８】単一のＬＥＤ・導光板ユニットの発光領域からの出射光輝度分布を示すものである。
【図９】２０個のＬＥＤ・導光板ユニットの発光領域からの出射光輝度分布を示すものである。
【図１０】本発明の第２実施形態に係る面光源装置の導光板の平面図である。
【図１１】従来の面光源装置の外観斜視図である。
【符号の説明】
【００４１】
１……面光源装置、２……ＬＥＤ・導光板ユニット（点状光源・導光板ユニット）、４……基板、４ｂ……裏面、５……反射シート、６……ＬＥＤ（点状光源）、８……発光領域、１０……張出領域、１３……対角線、ＣＬ……中心線（対角線の延長線）
【図１】
2010123304.tif 000003
【図２】
2010123304.tif 000004
【図３】
2010123304.tif 000005
【図４】
2010123304.tif 000006
【図５】
2010123304.tif 000007
【図６】
2010123304.tif 000008
【図７】
2010123304.tif 000009
【図８】
2010123304.tif 000010
【図９】
2010123304.tif 000011
【図１０】
2010123304.tif 000012
【図１１】
2010123304.tif 000013